(57)【要約】【課題】出力間のばらつきが抑えられた表示装置用ドライバを提供する。【解決手段】表示装置用ドライバは、互いに等しい基準電流を供給するための第２のＭＯＳＦＥＴ１９及び第３のＭＯＳＦＥＴ２１と、第２のＭＯＳＦＥＴ１９に接続された第１の電流入力用ＭＯＳＦＥＴ１０と、第３のＭＯＳＦＥＴ２１に接続された第２の電流入力用ＭＯＳＦＥＴ１２と、第１の電流入力用ＭＯＳＦＥＴ１０と第２の電流入力用ＭＯＳＦＥＴ１２の間に配置され、第１の電流入力用ＭＯＳＦＥＴ１０と第２の電流入力用ＭＯＳＦＥＴ１２に入力された電流を分配するための複数のカレントミラーと、該複数のカレントミラーで発生した電流を加算することで出力電流値を可変する電流加算手段とを備えている。【選択図】図１
2006139290.tif 000002
【特許請求の範囲】
【請求項１】
基準電流を供給するための第１の基準電流源及び第２の基準電流源と、
前記第１の基準電流源に電気的に接続された第１導電型の第１の電流入力用トランジスタと、
前記第２の基準電流源に電気的に接続された第１導電型の第２の電流入力用トランジスタと、
前記第１の電流入力用トランジスタ及び前記第２の電流入力用トランジスタに入力された電流が分配され、各々が電気的に互いに接続された制御部を有する第１導電型のトランジスタからなり、各々が前記第１の電流入力用トランジスタと前記第２の電流入力用トランジスタとの間に配置されている複数のカレントミラーと、
前記複数のカレントミラーに電気的に接続され、前記複数のカレントミラーのうち、表示データにより選択されたカレントミラーに生じる電流を加算することで出力電流を変化させることが可能な電流加算手段と
を備えたことを特徴とする表示装置用ドライバ。
【請求項２】
請求項１に記載の表示装置用ドライバにおいて、
前記第１の基準電流源を構成するトランジスタと前記第２の基準電流源を構成するトランジスタとは互いにＷ／Ｌ比が等しいことを特徴とする表示装置用ドライバ。
【請求項３】
請求項２に記載の表示装置用ドライバにおいて、
一端に電源電圧が供給され、他端が抵抗に電気的に接続されることで所定値の電流を生じる第２導電型の第１のトランジスタをさらに備え、
前記第１の基準電流源を構成する第２導電型のトランジスタと前記第２の基準電流源を構成する第２導電型のトランジスタはいずれも、前記第１のトランジスタとカレントミラー回路を構成していることを特徴とする表示装置用ドライバ。
【請求項４】
請求項３に記載の表示装置用ドライバにおいて、
前記第１の基準電流源と前記第２の基準電流源との互いの距離は、１０μｍ以上１００μｍ以下であることを特徴とする表示装置用ドライバ。
【請求項５】
請求項３に記載の表示装置用ドライバにおいて、
前記複数のカレントミラーのうち、前記第１の電流入力用トランジスタに隣接するカレントミラーの制御部と前記第１の電流入力用トランジスタの制御部との間、前記複数のカレントミラーのうち、互いに隣接するカレントミラーの制御部間、及び前記複数のカレントミラーのうち、前記第２の電流入力用トランジスタに隣接するカレントミラーの制御部と前記第２の電流入力用トランジスタの制御部との間に、それぞれ等しい抵抗値を有する抵抗素子がさらに設けられることを特徴とする表示装置用ドライバ。
【請求項６】
請求項３〜５のいずれか１項に記載の表示装置用ドライバにおいて、
前記第１のトランジスタとカレントミラーを構成し、且つ前記第１の基準電流源を構成するトランジスタ及び第２の基準電流源を構成するトランジスタとＷ／Ｌのサイズ比が等しいトランジスタからなる第３の基準電流源と、
前記第３の基準電流源に電気的に接続された電流伝達用端子とをさらに備えたことを特徴とする表示装置用ドライバ。
【請求項７】
請求項３〜５のいずれか１項に記載の表示装置用ドライバにおいて、
基準電流を伝達するための第１の電流入出力用端子と、
前記第１の電流入出力用端子に電気的に接続された第１導電型の第２のトランジスタと、
前記第１のトランジスタに電気的に接続されたドレインを有し、前記第２のトランジスタとカレントミラー回路を構成する第１導電型の第３のトランジスタとをさらに備えたことを特徴とする表示装置用ドライバ。
【請求項８】
請求項７に記載の表示装置用ドライバにおいて、
前記第２のトランジスタのソースにカスコード接続された第１導電型の第４のトランジスタと、
前記第３のトランジスタのソースにカスコード接続され、前記第４のトランジスタとカレントミラー回路を構成する第１導電型の第５のトランジスタとをさらに備えたことを特徴とする表示装置用ドライバ。
【請求項９】
請求項７または８に記載の表示装置用ドライバにおいて、
前記第１のトランジスタのドレイン及び前記第３のトランジスタのドレインに電気的に接続された第２の電流入出力用端子と、
前記第１のトランジスタとカレントミラーを構成し、且つ前記第１の基準電流源を構成するトランジスタ及び前記第２の基準電流源を構成するトランジスタとＷ／Ｌのサイズ比が等しいトランジスタからなる第４の基準電流源と、
前記第４の基準電流源に電気的に接続された電流伝達用端子とをさらに備えたことを特徴とする表示装置用ドライバ。
【発明の詳細な説明】
【技術分野】
【０００１】
本発明は、液晶パネルなどの表示装置を駆動するための表示装置用ドライバおよび表示装置に関し、より詳しくは、該表示装置用ドライバに均一な電流を供給するための回路装置に関する。
【背景技術】
【０００２】
近年、フラットパネルディスプレイ（ＦＰＤ）は大画面、高精細化するとともに、薄型軽量化および低コスト化が進んできている。このような背景の中で、ＦＰＤなどの表示パネルを駆動するための表示装置用ドライバＬＳＩの改良が進められている。
【０００３】
図７（ａ）は、液晶表示装置の表示パネル部分の構成を概略的に示す図であり、（ｂ）は、従来の表示装置用ドライバの構成を示す回路図であり、（ｃ）は、表示パネルの輝度のばらつきを示す図である。なお、ここでは電圧の高低により階調制御が行われる液晶表示パネルの例を示している。
【０００４】
図７（ａ）、（ｂ）に示すように、一般的なＴＦＴ（Thin-Film-Transistor)駆動型の液晶表示パネルでは、透明なＴＦＴ６０２と、ＴＦＴ６０２に接続された液晶容量６０３とで構成される画素（サブピクセル）６０１がマトリクス状に配置されている。それぞれの画素６０１は表示装置用ドライバＬＳＩ６０５のうち各駆動電圧供給部に接続され、表示装置用ドライバＬＳＩ６０５から階調制御用の電圧を供給されている。なお、表示装置用ドライバＬＳＩ６０５は、バイアス電流回路６０６に加え、例えば駆動電圧供給部６１９、駆動電圧供給部６２０及び駆動電圧供給部６２１など、複数個の駆動電圧供給部が１つのチップ上に集積化されたものである。大画面の液晶表示装置の場合、このような表示装置用ドライバＬＳＩ６０５は、表示パネルの額縁部に複数個配置される。なお、本明細書中で、バイアス電流回路（電流源）と駆動電圧供給部とを含む回路を「表示装置用ドライバ」と称するものとする。
【０００５】
この表示パネルでは、液晶容量６０３に印加する電圧値を変化させることで、表示画素がバックライトの光を遮蔽するレベルが変化する。このことにより、表示装置用ドライバから印加される電圧に比例した表示輝度の変化が得られる。
【０００６】
次に、図７（ｂ）に示す、従来の表示装置用ドライバＬＳＩの構成を説明する。
【０００７】
まず、駆動電圧供給部６１９に一定値の電流を供給するためのバイアス電流回路６０６は、第１導電型の第１のＭＯＳＦＥＴ６０８と、第１のＭＯＳＦＥＴ６０８に接続された抵抗６０７と、第１のＭＯＳＦＥＴ６０８とカレントミラーを構成する第２のＭＯＳＦＥＴ６０９と、第２のＭＯＳＦＥＴ６０９に接続された第２導電型の入力用トランジスタ６１０とを有している。入力用トランジスタ６１０は、後述する駆動電圧供給部６１９中のカレントミラー部に電流を入力するためのものである。
【０００８】
次に、駆動電圧供給部６１９は、複数のカレントミラーを有する電流加算型Ｄ／Ａコンバータ６３０と、Ｄ／Ａコンバータ６３０の出力部に接続された電流／電圧変換器６１１とを有している。
【０００９】
Ｄ／Ａコンバータ６３０は、第２導電型（ここではＮチャネル型）のＭＯＳＦＥＴから構成され、入力用トランジスタ６１０とカレントミラーを構成する第１のカレントミラーＣＭ1、第２のカレントミラーＣＭ2、…第ｎのカレントミラーＣＭnと、第１のカレントミラーＣＭ1、第２のカレントミラーＣＭ2、…第ｎのカレントミラーＣＭnのそれぞれに接続されたスイッチＬ1、Ｌ2、…Ｌｎとを有している（ｎは自然数）。そして、電流／電圧変換器は、負帰還されたオペアンプと抵抗とからなっている。なお、駆動電圧供給部６２０，６２１もそれぞれ駆動電圧供給部６１９と同一構成であり、且つ複数の駆動電圧供給部のカレントミラーのゲート電極は共通に接続されている。
【００１０】
次に、従来の表示装置用ドライバに流れる電流について説明する。
【００１１】
従来の表示装置用ドライバのうち、バイアス電流回路６０６においては、抵抗６０７の抵抗値を調節して所望の大きさの基準電流を発生させることができる。そして、この基準電流は第２のＭＯＳＦＥＴ６０９に分配され、入力用トランジスタ６１０に入力される。すると、第１のカレントミラーＣＭ1、第２のカレントミラーＣＭ2、…第ｎのカレントミラーＣＭnのそれぞれに電流が流れる。ここで、図７（ｂ）では各カレントミラーが１個のトランジスタで構成されているように簡略的に示してあるが、実際には１個、２個、４個、…２n-1個のサイズの等しいトランジスタから構成されている。例えば６ビット（６４階調）の液晶表示装置の場合、ビットの重み付けに合わせて１個＋２個＋４個＋８個＋１６個＋３２個＝６３個のトランジスタが配置される。このため、スイッチＬ1がオンの場合に流れる電流をＩとすると、スイッチＬ2、Ｌ3…、Ｌnがオンとなる時それぞれのスイッチに流れる電流は、２Ｉ、４Ｉ、…、２n-1Ｉとなる。従って、スイッチＬ1、Ｌ2…、Ｌnのオンまたはオフを制御することで、電流／電圧変換器６１１に２n通りの電流レベルを入力することが可能となっている。そして、電流／電圧変換器６１１が、入力された電流を電圧に変換し、画素６０１に供給する。
【００１２】
次に、従来の表示装置用ドライバの動作を簡単に説明する。
【００１３】
従来の表示装置用ドライバでは、表示データがディジタル信号で保持されている（図示せず）。この表示データに応じてスイッチＬ1、Ｌ2、…、Ｌnがそれぞれオンまたはオフする。全白表示の場合、スイッチＬ1〜スイッチＬnまでのすべてのスイッチをオンとする。一方、全黒表示の場合にはスイッチＬ1〜スイッチＬnまでのすべてのスイッチをオフとする。
【特許文献１】特開２００１−１４７６５９号公報
【特許文献２】特開２００１−６７０４８号公報
【特許文献３】特開２００１−１６８６９７号公報
【発明の開示】
【発明が解決しようとする課題】
【００１４】
上述の従来の表示装置用ドライバによれば、携帯電話の表示パネルなど、小画面の表示パネルを不具合なく駆動することができる。
【００１５】
ところが、表示パネルの大画面化はさらに進んでおり、それにつれて表示装置用のドライバＬＳＩの長さ（長辺方向の長さ）が１０ｍｍ〜２０ｍｍに達する場合がでてきた。このような場合、従来の表示装置用ドライバＬＳＩでは、互いに離れた出力端子間で出力電圧のばらつきが生じ、表示画像に明暗部を生じるなど、画質の低下を引き起こすおそれがあった。
【００１６】
本願発明者が表示装置用ドライバＬＳＩの出力端子間で出力電圧がばらつく原因について調べたところ、表示装置用ドライバの各カレントミラーに分配される電流にばらつきがあることが分かった。そもそも、カレントミラー回路は、これを構成するトランジスタの拡散条件が等しく、しきい値Ｖｔやキャリア移動度に有意差がないことを前提としている。その上で、トランジスタのサイズ比によって電流が分配されるのである。ところが、表示装置用ドライバＬＳＩのチップの長さが１０ｍｍから２０ｍｍもの長さになると、トランジスタに含まれる不純物の拡散を均一に行なうことが困難になると考えられる。この結果、カレントミラーとなるトランジスタのしきい値にばらつきが生じ、ひいては出力電圧のばらつきを生じることになる。通常は、拡散の変動はウエハー面に対し徐々に傾きを持つ。このため、一定の表示データによる均一表示を行った場合でも、図７（ｃ）に示すように、表示パネル上で明から暗のグラデーションが発生することになる。
【００１７】
本発明の目的は、表示装置用ドライバＬＳＩの出力間のばらつきを抑える手段を提供することにある。
【課題を解決するための手段】
【００１８】
本発明の表示装置用ドライバは、基準電流を供給するための第１の基準電流源及び第２の基準電流源と、上記第１の基準電流源に電気的に接続された第１導電型の第１の電流入力用トランジスタと、上記第２の基準電流源に電気的に接続された第１導電型の第２の電流入力用トランジスタと、上記第１の電流入力用トランジスタ及び上記第２の電流入力用トランジスタに入力された電流が分配され、各々が電気的に互いに接続された制御部を有する第１導電型のトランジスタからなり、各々が上記第１の電流入力用トランジスタと上記第２の電流入力用トランジスタとの間に配置されている複数のカレントミラーと、上記複数のカレントミラーに電気的に接続され、上記複数のカレントミラーのうち、表示データにより選択されたカレントミラーに生じる電流を加算することで出力電流を変化させることが可能な電流加算手段とを備えたことを特徴とする。
【００１９】
この構成により、少なくとも２つの基準電流源から複数のカレントミラーに電流が分配されるので、不純物の拡散ばらつき等によりカレントミラーを構成するトランジスタのしきい値（または電流駆動力）のばらつきを相殺することができる。従って、カレントミラーからの出力電流を均一化させることができるので、大画面の電流駆動型の表示装置であっても、輝度のばらつきを抑えることが可能となる。また、電流／電圧変換回路を付加することにより、表示品質の向上した大画面の液晶表示装置を実現することも可能となる。
【００２０】
また、前記複数のカレントミラーは、前記第１の電流入力用トランジスタと前記第２の電流入力用トランジスタとの間に配置されていることにより、第１の電流入力用トランジスタの制御部と第２の電流入力用トランジスタの制御部との間に電位勾配を生じさせることができるので、カレントミラーを構成するトランジスタのしきい値のばらつきをさらに効果的に相殺することができる。その結果、カレントミラーに生じる電流のばらつきをさらに抑えることができるので、表示装置の表示品質をさらに向上させることができる。
【００２１】
一端に電源電圧が供給され、他端が抵抗に接続されることで所定値の電流を生じる第２導電型の第１のトランジスタをさらに備え、前記第１の基準電流源と前記第２の基準電流源とは互いにサイズ比が等しく、且つ前記第１のトランジスタとカレントミラー回路を構成するトランジスタであることにより、カレントミラー回路を利用して互いに等しい電流を供給する第１及び第２の基準電流源を簡単な構成で実現することができる。
【００２２】
前記第１の基準電流源と前記第２の基準電流源とは、互いの距離が１００μｍ以下になるように配置され、前記第１の基準電流源と前記第１の電流入力用トランジスタとを接続する配線の長さ及び幅は、前記第２の基準電流源と前記第２の電流入力用トランジスタとを接続する配線の長さ及び幅とほぼ同一であることにより、第１の電流入力用トランジスタに流れる電流と第２の電流入力用トランジスタとに流れる電流との誤差を最小限に抑えることができる。
【００２３】
前記複数のカレントミラーのうち、前記第１の電流入力用トランジスタに隣接するカレントミラーの制御部と前記第１の電流入力用トランジスタの制御部との間、前記複数のカレントミラーのうち、互いに隣接するカレントミラーの制御部間、及び前記複数のカレントミラーのうち、前記第２の電流入力用トランジスタに隣接するカレントミラーの制御部と前記第２の電流入力用トランジスタの制御部との間に、それぞれ等しい抵抗値を有する抵抗素子がさらに設けられることにより、第１の電流入力用トランジスタの制御部と第２の電流入力用トランジスタの制御部との間で十分な電位勾配が形成できない場合でも、抵抗素子による電圧降下を利用して電位勾配を持たせることが可能となる。その結果、複数のカレントミラーに生じる電流のばらつきをさらに抑えることが可能となる。
【００２４】
前記第１のトランジスタとカレントミラーを構成し、且つ前記第１の基準電流源及び第２の基準電流源とサイズ比が等しいトランジスタからなる第４の基準電流源と、前記第４の基準電流源に接続された電流伝達用端子とが前記第１のトランジスタと同一チップ上にさらに設けられ、前記第１のトランジスタに接続された抵抗は前記第１のトランジスタと同一チップ上に設けられていることにより、複数個の表示装置用ドライバを接続する場合の初段の表示装置用ドライバとして用いることができる。すなわち、第４の基準電流源で生じる基準電流を、電流伝達用端子を介して次段の表示装置用ドライバに伝達することができるので、チップ間でカレントミラーの特性が変動する場合でも、カレントミラーの出力電流を均一化することができる。
【００２５】
また、基準電流を伝達するための第１の電流入出力用端子と、第２拡散層と、前記第１の電流入出力用端子に接続された第１拡散層及び制御部とを有する第１導電型の第２のトランジスタと、第２拡散層及び制御部と、前記第１のトランジスタの第１拡散層に接続された第１拡散層とを有する前記第２のトランジスタとカレントミラー回路を構成する第１導電型の第３のトランジスタとが前記第１のトランジスタと同一チップ上にさらに設けられていることにより、複数個の表示装置用ドライバを接続する場合に、二段目以降の表示装置用ドライバとして用いることができる。
【００２６】
前記第２のトランジスタの第２拡散層にカスコード接続された第１導電型の第４のトランジスタと、前記第３のトランジスタの第２拡散層にカスコード接続され、前記第４のトランジスタとカレントミラー回路を構成する第１導電型の第５のトランジスタとが前記第１のトランジスタと同一チップ上にさらに設けられていることにより、複数個の表示装置用ドライバを接続する場合に、二段目以降の表示装置用ドライバとして用いることができる。加えて、カスコード接続されたトランジスタで構成されたカレントミラーによって、前段の表示装置用ドライバから伝達される基準電流の変動を最小限に抑えることができる。
【００２７】
前記第１のトランジスタの第１拡散層及び前記第３のトランジスタの第１拡散層に接続された第２の電流入出力用端子と、前記第１のトランジスタとカレントミラーを構成し、且つ前記第１の基準電流源及び第２の基準電流源とサイズ比が等しいトランジスタからなる第４の基準電流源と、前記第４の基準電流源に接続された電流伝達用端子とが前記第１のトランジスタと同一チップ上にさらに設けられていることにより、１種類のみのチップをカスケード接続することで、複数個の表示装置用ドライバに共通の基準電流を分配する構成をとることができる。従って、この表示装置用ドライバを用いれば、表示品質の向上した表示パネルをさらに低コストで提供することができる。
【００２８】
前記第１の基準電流源、前記第２の基準電流源、前記第１の電流入力用トランジスタ、前記第２の電流入力用トランジスタ及び前記複数のカレントミラーは、第１拡散層をドレイン、第２拡散層をソース、制御部をゲート電極とするＭＯＳＦＥＴであってもよい。
【発明の効果】
【００２９】
本発明の表示装置用ドライバは、複数の基準電流源と、該複数の基準電流源にそれぞれ接続された複数の電流入力用ＭＯＳＦＥＴと、複数の電流入力用ＭＯＳＦＥＴの間に、複数の電流入力用ＭＯＳＦＥＴに入力された電流を分配するための複数のカレントミラーと、該複数のカレントミラーで発生した電流を加算することで出力電流値を可変する電流加算手段とを備えている。これにより、大きさの等しい電流を複数のカレントミラーの両端から入力することができるので、複数のカレントミラーのそれぞれに流れる電流のばらつきが抑えられる。従って、電流駆動または電圧駆動の表示パネルを輝度のばらつきなく駆動することが可能となる。
【発明を実施するための最良の形態】
【００３０】
以下、本発明の実施形態について、図面を参照しながら説明する。
【００３１】
（第１の実施形態）
図１は、本発明の第１の実施形態に係る表示装置用ドライバを示す回路図であり、図２は、本実施形態の表示装置用ドライバのうち、６４階調用の駆動電圧供給部を示す回路図である。本実施形態の表示装置用ドライバは、特に液晶表示装置など、電圧駆動型の表示装置の駆動に好ましく用いられる。
【００３２】
図１に示すように、本実施形態の表示装置用ドライバの特徴は、カレントミラー回路を利用して基準電流Ｉ1を生じる電流源を少なくとも２つ設けることにある。以下、表示装置用ドライバの構成について詳述する。
【００３３】
図１及び図２に示すように、本実施形態の表示装置用ドライバは、駆動電圧供給部に一定値の電流を供給するためのバイアス電流回路とを備えている。
【００３４】
このバイアス電流回路は、第１導電型の第１のＭＯＳＦＥＴ１８と、第１のＭＯＳＦＥＴ１８に接続された抵抗１７と、第１のＭＯＳＦＥＴ１８とカレントミラーを構成する第２のＭＯＳＦＥＴ１９及び第３のＭＯＳＦＥＴ２１と、第２導電型で、第２のＭＯＳＦＥＴ１９に接続された第１の電流入力用ＭＯＳＦＥＴ１０と、第２導電型で、第３のＭＯＳＦＥＴ２１に接続された第２の電流入力用ＭＯＳＦＥＴ１２とを有している。そして、第１の電流入力用ＭＯＳＦＥＴ１０のゲート電極と第２の電流入力用ＭＯＳＦＥＴ１２のゲート電極とは電気的に接続されている。なお、上述の抵抗１７は、チップ内部に設けてもよいが、外部に設けてもよい。
【００３５】
また、カレントミラーを構成するＭＯＳＦＥＴについて、図１、図２には第１導電型がＮチャネル型で第２導電型がＰチャネル型である例を示しているが、第１導電型をＰチャネル型、第２導電型をＮチャネル型としてもよい。これは、以下の実施形態を通じて共通である。
【００３６】
また、図１では省略して示しているが、第１の電流入力用ＭＯＳＦＥＴ１０と第２の電流入力用ＭＯＳＦＥＴ１２の間には、第１の電流入力用ＭＯＳＦＥＴ１０及び第２の電流入力用ＭＯＳＦＥＴ１２とカレントミラーを構成するカレントミラー群９が設けられている。ここで、カレントミラー群９は、駆動電圧供給部の一部であり、それぞれ第２導電型のＭＯＳＦＥＴから構成される第１のカレントミラーＣＭ1、第２のカレントミラーＣＭ2、…第ｎのカレントミラーＣＭnで構成されている。また、第２のＭＯＳＦＥＴ１９と第３のＭＯＳＦＥＴ２１とは、特性のばらつきを抑えるために互いに近傍に配置されていることが好ましい。第２のＭＯＳＦＥＴ１９と第３のＭＯＳＦＥＴ２１との距離は通常１０μｍ以上１００μｍ以下であることが好ましい。
【００３７】
一方、図２に示すように、駆動電圧供給部は従来と同じ構成であり、カレントミラー群９及びそれぞれのカレントミラーに接続されたスイッチＬ1〜Ｌn（電流加算手段）で構成される電流加算型のＤ／Ａコンバータと、該Ｄ／Ａコンバータの出力部に接続され、オペアンプと抵抗とからなる電流／電圧変換器２０とを有している。ここで、図１では第１のカレントミラーＣＭ1、第２のカレントミラーＣＭ2、…第ｎのカレントミラーＣＭnのそれぞれが１つのＭＯＳＦＥＴで構成されるように簡略化されて示されているが、実際には１個、２個、４個、…２n-1個のゲートが共通に接続された互いにサイズ比（Ｗ／Ｌ比）の等しいＭＯＳＦＥＴで構成されている。
【００３８】
なお、図２では、第１の電流入力用ＭＯＳＦＥＴ１０と第２の電流入力用ＭＯＳＦＥＴ１２の間に配置された１つの駆動電圧供給部中のカレントミラーのみ示しているが、実際には１つのチップ上に設けられる複数の駆動電圧供給部中のカレントミラーが挟まれている。
【００３９】
次に、電流源を含む本実施形態の表示装置用ドライバに流れる電流について説明する。
【００４０】
まず、バイアス電流回路では、第１のＭＯＳＦＥＴ１８には、抵抗１７を設けたことにより所定値の電流が流れる。すると、この電流が第２のＭＯＳＦＥＴ１９及び第３のＭＯＳＦＥＴ２１に分配されて、互いにほぼ等しい大きさの基準電流Ｉ1が同時に流れる。
【００４１】
次に、基準電流Ｉ1は第１の電流入力用ＭＯＳＦＥＴ１０と第２の電流入力用ＭＯＳＦＥＴのドレインに入力される。すると、スイッチＬ1、Ｌ2、…Ｌnがオン状態の際には、カレントミラー群９を構成するＭＯＳＦＥＴのそれぞれに、電流Ｉ2が流れる。つまり、図２に示す例ではオン状態のスイッチＬ1、Ｌ2、…Ｌnに、それぞれＩ2、２Ｉ2、…２n-1Ｉ2の電流が流れる。従って、スイッチＬ1、Ｌ2…、Ｌnのオンまたはオフを制御することで、電流／電圧変換器２０に２n通りの電流レベルを入力することが可能となっている。言い換えれば、スイッチＬ1〜Ｌnは、カレントミラーで発生する電流を加算することで出力電流値を可変する電流加算手段として機能していることになる。
【００４２】
そして、電流／電圧変換器２０が、入力された電流を電圧に変換し、例えば液晶表示装置の画素に供給する。
【００４３】
なお、本実施形態の表示装置用ドライバにおいて、基準電流Ｉ1は例えば６３０ｎＡ、電流Ｉ2は１０ｎＡであり、Ｉ1：Ｉ2＝６３：１に設定されている。このように、基準電流Ｉ1を電流Ｉ2より大きくするのは、抵抗１７をチップ外部に設ける場合に、抵抗値を小さくするためである。抵抗１７の抵抗値は例えば１ＭΩ程度であるが、抵抗値が余りに大きい場合、外部環境の影響を受けやすくなるので好ましくない。また、第１のＭＯＳＦＥＴ１８と、第２のＭＯＳＦＥＴ１９及び第３のＭＯＳＦＥＴ２１とのサイズ比が異なれば、第１のＭＯＳＦＥＴ１８で発生する電流の値と、基準電流Ｉ1の値は異なる。
【００４４】
なお、本実施形態の表示装置用ドライバでは、表示データがディジタル信号で保持されている（図示せず）。この表示データに応じてスイッチＬ1、Ｌ2、…、Ｌnがそれぞれオンまたはオフする。全白表示の場合、スイッチＬ1〜スイッチＬnまでのすべてのスイッチをオンとする。一方、全黒表示の場合にはスイッチＬ1〜スイッチＬnまでのすべてのスイッチをオフとする。
【００４５】
本実施形態の表示装置用ドライバにおいても、第１の電流入力用ＭＯＳＦＥＴ１０、カレントミラー群９及び第２の電流入力用ＭＯＳＦＥＴ１２は、出力端子の配置に応じて表示装置用ドライバＬＳＩの長さ方向に配置されるため、ＬＳＩ形成時の拡散条件によってはこれらのしきい値Ｖｔが変動する。
【００４６】
しかし、本実施形態の表示装置用ドライバによれば、第１のカレントミラーＣＭ1側からだけでなく、第ｎのカレントミラーＣＭn側からも大きさの等しい電流を入力するので、従来の表示装置用ドライバに比べ、カレントミラー群９を構成する各ＭＯＳＦＥＴで生じる電流のばらつきが小さく抑えることができる。
【００４７】
この理由は以下の通りである。
【００４８】
一般に、１つの半導体チップ中で、不純物の拡散の度合いは一方の端部から他方の端部へと傾きを持ってばらついている。このため、例えば第１のカレントミラーＣＭ1から第ｎのカレントミラーＣＭnに向かうにつれ、カレントミラーを構成するＭＯＳＦＥＴのしきい値は高く（あるいは低く）なる。この状態で、仮にカレントミラー群９を構成するＭＯＳＦＥＴのゲート電圧Ｖｇｓが同一とすると、高いしきい値を有するＭＯＳＦＥＴに流れる電流は相対的に小さくなり、カレントミラーに流れる電流値がばらついてしまう。このため、従来の表示装置ドライバでは、ＬＳＩ内に配置されるカレントミラーで発生する電流が変化し、理論値からずれてしまっていた。
【００４９】
これに対し、本実施形態の表示装置用ドライバでは、しきい値が最もばらつくと考えられるカレントミラー群９の両端部から等しい電流を供給する構成をとっている。例えば、第２の電流入力用ＭＯＳＦＥＴ１２のしきい値が第１の電流入力用ＭＯＳＦＥＴ１０のしきい値よりも高い場合、第２の電流入力用ＭＯＳＦＥＴ１２には第１の電流入力用ＭＯＳＦＥＴ１０を流れる電流とほぼ等しい電流が流れるため、第２の電流入力用ＭＯＳＦＥＴ１２にかかるゲート電圧Ｖｇｓは第１の電流入力用ＭＯＳＦＥＴ１０にかかるゲート電圧Ｖｇｓよりも高くなっている。そのため、第１の電流入力用ＭＯＳＦＥＴ１０、第１のカレントミラーＣＭ1、第２のカレントミラーＣＭ2、第ｎのカレントミラーＣＭnのゲート電極に印加されるＶｇｓは、ＬＳＩ内部で傾斜を持つことになる。その結果、Ｖｇｓの傾きとしきい値のばらつきとが相殺されるので、表示装置用ドライバＬＳＩ内部のカレントミラーでより均一な電流を生じさせることができるのである。
【００５０】
このように、カレントミラー群９内の各カレントミラーで生じる電流をほぼ均一にすることができるので、各Ｄ／Ａコンバータの出力電流もほぼ均一にすることができる。従って、同一ＬＳＩ内の駆動電圧供給部からの出力電圧のばらつきも抑えられるので、本実施形態の表示装置用ドライバを用いれば、表示パネルの輝度のばらつきを効果的に抑えることが可能となる。
【００５１】
特に、本実施形態の表示装置用ドライバは、ＬＳＩのチップの長辺方向の長さが１０ｍｍを超える場合に有効である。そのため、本実施形態の表示装置用ドライバは、大画面あるいは高精細な液晶表示装置などに好ましく用いることができる。
【００５２】
なお、本実施形態の表示装置用ドライバにおいては、上述のように、互いに等しい電流を分配するために電流源として機能する第２のＭＯＳＦＥＴ１９と第３のＭＯＳＦＥＴ２１とは近傍に配置することが好ましい。さらに、第２のＭＯＳＦＥＴ１９と第３のＭＯＳＦＥＴ２１とは、不純物拡散のばらつきが最も少ない表示装置用ドライバＬＳＩの中央部付近に配置することが好ましい。また、第１の電流入力用ＭＯＳＦＥＴ１０と第２の電流入力用ＭＯＳＦＥＴ１２に等しい基準電流を供給するために、第２のＭＯＳＦＥＴ１９と第１の電流入力用ＭＯＳＦＥＴ１０とを接続する配線と、第３のＭＯＳＦＥＴ２１と第２の電流入力用ＭＯＳＦＥＴ１２とを接続する配線とは、長さと幅を等しくすることが望ましい。これに加えて、第１のＭＯＳＦＥＴ１８も第２のＭＯＳＦＥＴ１９及び第３のＭＯＳＦＥＴ２１の近傍にあることが好ましい。
【００５３】
また、第２のＭＯＳＦＥＴ１９と第３のＭＯＳＦＥＴ２１の間に、両トランジスタとカレントミラーを構成するＭＯＳＦＥＴをさらに設け、カレントミラー群９の第３の電流源とすることもできる。この場合、第３の電流源からの基準電流Ｉ1を受ける電流入力用ＭＯＳＦＥＴをカレントミラー群９の中央部に配置する。これにより、駆動電圧供給部のカレントミラーで生じる電流をさらに均一化することができる。
【００５４】
なお、図１及び図２に示す第１の電流入力用ＭＯＳＦＥＴ１０及び第２の電流入力用ＭＯＳＦＥＴ１２は、それぞれ１個のＭＯＳＦＥＴであるように示しているが、これに代えて、基準電流Ｉ1に対して並列に接続された複数のＭＯＳＦＥＴで構成したカレントミラー回路を用いてもよい。基準電流Ｉ1は各カレントミラーＩ2に比べて大きい値に設定していることが多いので、その場合には、サイズの大きい１個のＭＯＳＦＥＴを用いるよりも、複数の小さいサイズのＭＯＳＦＥＴを用いる方が精度が向上するので好ましい。
【００５５】
以上の説明では、複数の基準電流源を有するカレントミラー回路を電圧駆動型の表示装置用ドライバに利用する例を示したが、同様のカレントミラー回路を用いて有機ＥＬパネルなどの電流駆動型の表示装置を駆動することも可能である。その場合、図２に示す駆動電圧供給部から電流／電圧変換器２０を除けばよい。
【００５６】
なお、本実施形態の表示装置用ドライバにおいて、カレントミラーを構成するＭＯＳＦＥＴに代えてバイポーラトランジスタを用いても動作させることが可能である。
【００５７】
また、本実施形態の表示装置用ドライバは、表示装置以外にプリンタヘッドにも用いることができる。
【００５８】
（第２の実施形態）
図３は、本発明の第２の実施形態に係る表示装置用ドライバを示す回路図である。
【００５９】
同図に示すように、本実施形態の表示装置用ドライバの特徴は、互いに隣接する電流入力用ＭＯＳＦＥＴとカレントミラーのゲート電極間、及びカレントミラーのゲート電極間にそれぞれ抵抗値の等しい抵抗を備えたことである。これ以外の構成は第１の実施形態と同様であるので、説明を省略する。
【００６０】
図３に示すように、本実施形態の表示装置用ドライバにおいては、第１の電流入力用ＭＯＳＦＥＴ１０のゲート電極と第２の電流入力用ＭＯＳＦＥＴ１２のゲート電極とを接続するゲート信号線８上のうち、第１の電流入力用ＭＯＳＦＥＴ１０と第１のカレントミラーＣＭ1、各カレントミラーのゲート電極間、及びカレントミラーＣnと第２の電流入力用ＭＯＳＦＥＴのゲート電極間にそれぞれ抵抗Ｒ1、Ｒ2、…Ｒn、Ｒn+1が設けられている。また、抵抗Ｒ1、Ｒ2、…Ｒn、Ｒn+1のそれぞれは、数ｋΩ〜十ｋΩ程度の抵抗値を有しており、例えばポリシリコンや、拡散抵抗で構成されている。なお、本願発明者らは、５２８出力の表示装置用ドライバで、各抵抗の抵抗値を２ｋΩ（全体の抵抗値が約１ＭΩ）としたものを試作し、動作確認を行っている。
【００６１】
これに対し、ＬＳＩ内でのカレントミラーを接続するゲート信号線８の抵抗値は、Ａｌ（アルミニウム）等のメタル材料を用いた場合、全体で数Ωから数百Ω程度である。
【００６２】
図１に示す第１の実施形態の表示装置用ドライバにおいて、ゲート信号線８の抵抗が低い場合、カレントミラー群９を構成するＭＯＳＦＥＴのゲート電圧ＶｇｓがＬＳＩ内部でほぼ均一な電圧値となり、しきい値のばらつきの変動を相殺することができなくなる場合がある。
【００６３】
これに対し、本実施形態の表示装置用ドライバにおいては、カレントミラーのゲート電極間に、金属配線に比べて遙かに高い抵抗値を有するポリシリコン抵抗や拡散抵抗が設けられているので、カレントミラーのゲート電圧に電圧降下が発生する。このため、本実施形態の表示装置用ドライバを用いれば、金属配線の抵抗値が低い場合でも、カレントミラーのしきい値のばらつきを相殺することが可能となる。従って、本実施形態の表示装置用ドライバを用いれば、カレントミラーを有する駆動電圧供給部の出力電圧のばらつきも抑えられるので、電圧駆動型の表示装置を輝度のばらつき無く制御することが可能となる。
【００６４】
なお、本実施形態の表示装置用ドライバにおいて、カレントミラー間の抵抗は、配線自体をポリシリコン等の高抵抗材料で作製してもよい。
【００６５】
（第３の実施形態）
本発明の第３の実施形態として、第２の実施形態に係る表示装置用ドライバＬＳＩのチップを複数個接続する例について説明する。なお、以下の実施形態では、１つのチップに設けられている表示装置用ドライバを表すために「表示装置用ドライバＬＳＩ」の語を用いているが、示す回路の範囲は第１、第２の実施形態と同じである。
【００６６】
図４は、互いに接続された第２の実施形態に係る表示装置用ドライバＬＳＩを示す回路図である。同図に示す例では、第１の表示装置用ドライバＬＳＩ３１が設けられたチップと第２の表示装置用ドライバＬＳＩ３２が設けられたチップとが電流伝送路３８により互いに接続されている。
【００６７】
第１の表示装置用ドライバＬＳＩ３１は、第１のＭＯＳＦＥＴ１８ａと、第１のＭＯＳＦＥＴ１８ａに接続された抵抗１７ａと、第１のＭＯＳＦＥＴ１８ａとカレントミラーを構成し、基準電流源として機能する第１導電型（Ｐチャネル型）の第２のＭＯＳＦＥＴ１９ａ、第３のＭＯＳＦＥＴ２１ａ及び第４のＭＯＳＦＥＴ２３ａと、第２のＭＯＳＦＥＴ１９ａに接続された第１の電流入力用ＭＯＳＦＥＴ１０ａと、第３のＭＯＳＦＥＴ２１ａに接続された第２の電流入力用ＭＯＳＦＥＴ１２ａと、第１の電流入力用ＭＯＳＦＥＴ１０ａと第２の電流入力用ＭＯＳＦＥＴ１２ａとカレントミラーを構成するカレントミラー群９ａと、第１の電流入力用ＭＯＳＦＥＴ１０ａのゲート電極と第２の電流入力用ＭＯＳＦＥＴ１２ａのゲート電極とを接続するゲート信号線８と、ゲート電極８上に配置された抵抗Ｒ1a〜Ｒ(n+1)aと、第４のＭＯＳＦＥＴ２３ａに接続され、隣接する第２の表示装置用ドライバＬＳＩ３２に基準電流を出力するための電流伝達用端子２６ａとを有している。すなわち、第１の表示装置用ドライバＬＳＩ３１が第２の実施形態の表示装置用ドライバと異なるのは、基準電流を分配するための第４のＭＯＳＦＥＴ２３ａと電流伝達用端子２６ａとを設けて、隣接する表示装置用ドライバＬＳＩに基準電流を伝達できるようにしている点である。なお、第４のＭＯＳＦＥＴ２３ａのサイズは第２のＭＯＳＦＥＴ１９ａ及び第３のＭＯＳＦＥＴ２１ａと等しくなっている。この第４のＭＯＳＦＥＴ２３ａは、電気的特性を揃えるために、第２のＭＯＳＦＥＴ１９ａ及び第３のＭＯＳＦＥＴ２１ａの近傍に設けることが好ましい。第３のＭＯＳＦＥＴ２１ａと第４のＭＯＳＦＥＴ２３ａとの距離は、通常１００μｍ以下であれば好ましい。
【００６８】
また、第２の表示装置用ドライバＬＳＩ３２は、第１の表示装置用ドライバＬＳＩ３１とほぼ同様の構成を有しているが、第１の表示装置用ドライバＬＳＩ３１では第１のＭＯＳＦＥＴ１８ａと抵抗１７ａとで所定の電流を生成している。これに対し、第２の表示装置用ドライバＬＳＩ３２では、電流伝達用端子２６ａに接続された第１の電流入出力用端子３７と、第１の電流入出力用端子３７にゲート電極及びドレインが接続された第２導電型（Ｎチャネル型）の第５のＭＯＳＦＥＴ３４と、第５のＭＯＳＦＥＴ３４と互いにカレントミラーを構成する第６のＭＯＳＦＥＴ３５と、第６のＭＯＳＦＥＴ３５に接続された第７のＭＯＳＦＥＴ１８ｂとで基準電流を伝達している。また、図４には、第２の表示装置用ドライバＬＳＩが電流伝達用端子と電流伝達用端子に基準電流を伝達するためのカレントミラーとを有していない例を示しているが、３つ以上の表示装置用ドライバＬＳＩを接続する場合にはこれらが設けられる。
【００６９】
図４に示す２つの表示装置用ドライバＬＳＩにおいては、第４のＭＯＳＦＥＴ２３ａのサイズが第２のＭＯＳＦＥＴ１９ａ及び第３のＭＯＳＦＥＴ２１ａと等しくなっているので、基準電流が第３のＭＯＳＦＥＴ２１ａから出力される。そして、基準電流が電流伝達用端子２６ａ、電流伝送路３８を介して第１の電流入出力用端子３７に入力される。そして、カレントミラーを構成し、互いのサイズ比が等しい第５のＭＯＳＦＥＴ３４及び第６のＭＯＳＦＥＴ３５のサイズ比が等しければ、基準電流が伝達され第７のＭＯＳＦＥＴ１８ｂに入力される。すると、第７のＭＯＳＦＥＴ１８ｂと第８のＭＯＳＦＥＴ１９ｂ及び第９のＭＯＳＦＥＴ２１ｂのサイズ比が等しい場合、第８のＭＯＳＦＥＴ１９ｂ及び第９のＭＯＳＦＥＴ２１ｂに基準電流が分配され、カレントミラー群９ｂの両端部に設けられた第３の電流入力用ＭＯＳＦＥＴ１０ｂ及び第４の電流入力用ＭＯＳＦＥＴ１２ｂとに基準電流が入力される。なお、第２の表示装置用ドライバＬＳＩ３２に電流伝達用端子と電流伝達用端子に基準電流を伝達するためのカレントミラーとを有する場合には、同様に隣接する表示装置用ドライバＬＳＩに基準電流を伝達することができる。
【００７０】
表示装置の画面が大きい場合、表示装置用ドライバＬＳＩのチップを複数個配置することになるが、異なるチップ上に設けられたトランジスタの特性は、同一チップ上に設けられたトランジスタ同士に比べてばらつきが大きいことが多い。本実施形態の表示装置用ドライバＬＳＩによれば、第１の表示装置用ドライバＬＳＩで生成した基準電流を、複数の表示装置用ドライバＬＳＩのうち、カレントミラーの両端に伝達することができる。このため、複数の表示装置用ドライバＬＳＩ内のカレントミラー群を構成するＭＯＳＦＥＴのしきい値がばらつく場合でもほぼ等しい電流を出力できるようになる。従って、本実施形態のように、複数の表示装置用ドライバＬＳＩのそれぞれで等しい電流をカレントミラー群に入力することで、大画面の表示用パネルを輝度のムラ無く駆動することができる。
【００７１】
また、複数の表示装置用ドライバＬＳＩに電圧を分配する従来の方法に比べて、本実施形態の表示装置用ドライバＬＳＩでは電流を分配するので、チップ内部の配線を減らすことができる。
【００７２】
なお、本実施形態では、第２の実施形態に係る表示装置用ドライバＬＳＩを複数個接続する例を説明したが、第１の実施形態に係る表示装置用ドライバＬＳＩを用いることもできる。
【００７３】
（第４の実施形態）
本発明の第４の実施形態として、第２の実施形態に係る表示装置用ドライバＬＳＩのチップを複数個接続する別の例について説明する。
【００７４】
図５は、互いに接続された第２の実施形態に係る表示装置用ドライバＬＳＩを示す回路図である。同図に示す表示装置用ドライバＬＳＩが図４で示した表示装置用ドライバＬＳＩと異なるのは、第１の電流入出力用端子３７と第７のＭＯＳＦＥＴ１８ｂとの間に、所謂カスコード型カレントミラーが設けられている点にある。それ以外の構成は第３の実施形態と同様であるので説明は省略する。
【００７５】
すなわち、図５に示す第２の表示装置用ドライバＬＳＩ４１は、第１の電流入出力用端子３７と、ドレイン及びゲートが第１の電流入出力用端子３７に接続された第１０のＭＯＳＦＥＴ４３と、第１０のＭＯＳＦＥＴ４３のソースにカスコード接続され、ソースが接地された第１１のＭＯＳＦＥＴ４４と、第１０のＭＯＳＦＥＴ４３とカレントミラーを構成し、ドレインが第７のＭＯＳＦＥＴ１８ｂのドレインに接続された第１２のＭＯＳＦＥＴ４６と、第１２のＭＯＳＦＥＴ４６のソースにカスコード接続されると共に、第１１のＭＯＳＦＥＴ４４とカレントミラーを構成する第１３のＭＯＳＦＥＴ４５とを有している。また、第１０のＭＯＳＦＥＴ４３、第１１のＭＯＳＦＥＴ４４、第１２のＭＯＳＦＥＴ４６及び第１３のＭＯＳＦＥＴ４５は、共に第２導電型（Ｎチャネル型）であり、それぞれのＷ／Ｌ比率は等しくなっている。
【００７６】
このような構成にすることにより、カレントミラーの定電流特性が向上するため、図３に示すカレントミラーの構成よりも、基準電流を伝播する際の誤差の発生を低減させることができる。このため、カレントミラー群を構成するＭＯＳＦＥＴからの出力が均一となるので、カレントミラー群を有するＤ／Ａコンバータの出力電流も均一にすることができる。よって、本実施形態の表示装置用ドライバＬＳＩを用いれば、液晶パネル等の表示装置の均一性をさらに向上させることができる。
【００７７】
なお、本実施形態の表示装置用ドライバＬＳＩに用いることができるカスコードカレントミラーとしては、図５に示すもの以外にウイルソン型カレントミラーなどがある。
【００７８】
（第５の実施形態）
第３及び第４の実施形態に係る表示装置用ドライバＬＳＩは、第１の表示装置用ドライバと第２の表示装置用ドライバとで構成が異なっているため、２種類の表示装置用ドライバＬＳＩを準備する必要がある。
【００７９】
これに対し、本発明の第５の実施形態として、１種類のチップのみで複数個を接続可能な表示装置用ドライバＬＳＩについて説明する。
【００８０】
図６（ａ），（ｂ）は、それぞれ本実施形態の表示装置用ドライバＬＳＩを示す回路図、及び複数個接続された場合の本実施形態の表示装置用ドライバＬＳＩの例を示す回路図である。なお、カレントミラー群を含む駆動電圧供給部の図示は省略している。また、図５と同じ部材には同一の符号を付している。
【００８１】
図６（ａ）に示すように、本実施形態の表示装置用ドライバＬＳＩは、図５に示す第１の表示装置用ドライバＬＳＩ３１と第２の表示装置用ドライバＬＳＩ４１とを足し合わせたような構成となっている。すなわち、本実施形態の表示装置用ドライバＬＳＩは、第２の表示装置用ドライバＬＳＩ４１と比べると、第１のＭＯＳＦＥＴ１８（図５では第７のＭＯＳＦＥＴ１８ｂ）のドレインと第１２のＭＯＳＦＥＴ４６のドレインに接続される第２の電流入出力用端子５３と、第４のＭＯＳＦＥＴ２３と、第４のＭＯＳＦＥＴ２３のドレインに接続され、次段の表示装置用ドライバに接続するための電流伝達用端子５２とをさらに備えている点が異なっている。
【００８２】
このような構成により、本実施形態の表示装置用ドライバＬＳＩは、以下のようにして複数個接続することが可能になっている。
【００８３】
図６（ｂ）に示すように、基準電流を発生させる第１の表示装置用ドライバＬＳＩ５５の第２の電流入出力用端子５３ａには、チップの外部に設けられ、一端が接地された抵抗５７が接続される。そして、第１の電流入出力用端子３７ａは接地される。
【００８４】
このように外部に接続することで、第１のＭＯＳＦＥＴ１８ａと抵抗５７とにより基準電流が生じる。ここで、カスコード型カレントミラーのうち第１０のＭＯＳＦＥＴ４３ａのゲート電極及び第１２のＭＯＳＦＥＴ４６のゲート電極は、共に接地されるので、第１０のＭＯＳＦＥＴ４３ａ、第１１のＭＯＳＦＥＴ４４、第１２のＭＯＳＦＥＴ４６及び第１３のＭＯＳＦＥＴ４５には電流が流れることはない。
【００８５】
また、図６（ｂ）に示すように、第１の表示装置用ドライバＬＳＩ５５の電流伝達用端子５２ａと第２の表示装置用ドライバＬＳＩ５６の第１の電流入出力用端子３７ｂとは電流伝送路により接続される。そして、第２の表示装置用ドライバＬＳＩ５６の第２の電流入出力用端子５３ｂはオープン状態とする。
【００８６】
このように表示装置用ドライバＬＳＩ同士を接続することにより、第１の電流入出力用端子３７ｂに入力された基準電流は、カスコード型カレントミラーを介して第７のＭＯＳＦＥＴ１８ｂに伝達される。そして、基準電流は、第４のＭＯＳＦＥＴ２３ｂから電流伝達用端子５２ｂへと伝達され、次段の表示装置用ドライバＬＳＩへと出力される。
【００８７】
以下、第２の表示装置用ドライバＬＳＩと同様にして表示装置用ドライバＬＳＩがカスケード接続される。これにより、ほぼ等しい基準電流が複数のチップに分配されることになる。
【００８８】
以上のように、本実施形態の表示装置用ドライバＬＳＩを用いれば、表示パネルの駆動を１種類のチップのみで行なうことができるので、パネルの製造コストを低減することが可能となる。
【００８９】
なお、ここでは、Ｄ／Ａコンバータのうちカレントミラー群がＮチャネル型ＭＯＳＦＥＴであり、パネル側から電流引き込む構成を前提として説明したが、Ｐチャネル型ＭＯＳＦＥＴを用いた電流出力型のカレントミラーを用いても同様の効果が得られる。さらに、本実施形態の表示装置用ドライバＬＳＩでは、Ｐチャネル型ＭＯＳＦＥＴで出力した基準電流をＮチャネル型ＭＯＳＦＥＴで入力する構成を説明したが、これとは逆に後段の表示装置用ドライバＬＳＩから出力された電流を前段のＮチャネル型トランジスタで一定電流に制限する場合にも同様の効果が得られる。
【００９０】
なお、複数個の表示装置用ドライバＬＳＩをカスケード接続する際に、最終段となる表示装置用ドライバＬＳＩの電流伝達用端子５２に抵抗５７と同じ抵抗値を有する抵抗を接続してもよい。
【００９１】
なお、本実施形態の表示装置用ドライバに含まれるＭＯＳＦＥＴに代えてバイポーラトランジスタを用いることもできる。
【産業上の利用可能性】
【００９２】
本発明の表示装置用ドライバまたは表示装置によれば、複数のカレントミラーのそれぞれに流れる電流のばらつきが抑えられるので、電流駆動または電圧駆動の表示パネルを輝度のばらつきなく駆動することが可能となり、液晶パネルなどの表示装置を駆動するための表示装置用ドライバおよび表示装置に有用である。
【図面の簡単な説明】
【００９３】
【図１】本発明の第１の実施形態に係る表示装置用ドライバを示す回路図
【図２】第１の実施形態に係る表示装置用ドライバのうち、６４階調用の駆動電圧供給部を示す回路図
【図３】本発明の第２の実施形態に係る表示装置用ドライバを示す回路図
【図４】互いに接続された第２の実施形態に係る表示装置用ドライバＬＳＩを示す回路図
【図５】互いに接続された第２の実施形態に係る表示装置用ドライバＬＳＩの別の例を示す回路図
【図６】（ａ）は、それぞれ本発明の第５の実施形態に係る表示装置用ドライバＬＳＩを示す回路図であり、（ｂ）は複数個接続された場合の該表示装置用ドライバＬＳＩの例を示す回路図
【図７】（ａ）は、液晶表示装置の表示パネル部分の構成を概略的に示す図であり、（ｂ）は、従来の表示装置用ドライバの構成を示す回路図であり、（ｃ）は、表示パネルの輝度のばらつきを示す図
【符号の説明】
【００９４】
８  ゲート信号線
９，９ａ，９ｂ  カレントミラー群
１０，１０ａ  第１の電流入力用ＭＯＳＦＥＴ
１０ｂ  第３の電流入力用ＭＯＳＦＥＴ
１２，１２ａ  第２の電流入力用ＭＯＳＦＥＴ
１２ｂ  第４の電流入力用ＭＯＳＦＥＴ
１７，５７  抵抗
１８，１８ａ  第１のＭＯＳＦＥＴ
１８ｂ  第７のＭＯＳＦＥＴ
１９，１９ａ  第２のＭＯＳＦＥＴ
１９ｂ  第８のＭＯＳＦＥＴ
２１，２１ａ  第３のＭＯＳＦＥＴ
２３，２３ａ，２３ｂ  第４のＭＯＳＦＥＴ
２６ａ  電流伝達用端子
３２  第２の表示装置用ドライバＬＳＩ
３４  第５のＭＯＳＦＥＴ
３５  第６のＭＯＳＦＥＴ
３７，３７ａ，３７ｂ  第１の電流入出力用端子
３８  電流伝送路
４３，４３ａ  第１０のＭＯＳＦＥＴ
４４，４４ａ，４４ｂ  第１１のＭＯＳＦＥＴ
４５，４５ａ，４５ｂ  第１３のＭＯＳＦＥＴ
４６，４６ａ，４６ｂ  第１２のＭＯＳＦＥＴ
５２，５２ａ，５２ｂ  電流伝達用端子
５３ｂ  第２の電流入出力用端子
５５  第１の表示装置用ドライバＬＳＩ
ＣＭ1  第１のカレントミラー
Ｒ1〜Ｒn  抵抗
Ｌ1〜Ｌn  スイッチ
【図１】
2006139290.tif 000003
【図２】
2006139290.tif 000004
【図３】
2006139290.tif 000005
【図４】
2006139290.tif 000006
【図５】
2006139290.tif 000007
【図６】
2006139290.tif 000008
【図７】
2006139290.tif 000009
【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
第１のノードに流れる基準電流を駆動するための第１導電型の第１の基準電流トランジスタと、
第２のノードに流れる基準電流を駆動するための第１導電型の第２の基準電流トランジスタと、
前記第１のノードに電気的に接続されたドレインを有し、ゲート電極とドレインが互いに電気的に接続されている第２導電型の第１の電流入力トランジスタと、
前記第２のノードが電気的に接続されたドレインを有し、ゲート電極とドレインが互いに電気的に接続され、ゲート電極は前記第１の電流入力トランジスタのゲート電極と互いに電気的に接続されている第２導電型の第２の電流入力トランジスタと、
前記第１の電流入力トランジスタと前記第２の電流入力トランジスタとに挟まれた領域に各々が配置され、各々のゲート電極が前記第１の電流入力トランジスタ及び前記第２の電流入力トランジスタのゲート電極と電気的に接続されている複数のカレントミラートランジスタと、
前記複数のカレントミラートランジスタを流れる電流に応じて、表示素子を駆動する駆動回路と
を備えたことを特徴とする表示装置用ドライバ。
【請求項２】
請求項１に記載の表示装置用ドライバにおいて、
前記第１の基準電流トランジスタと前記第２の基準電流トランジスタとは互いにＷ／Ｌ比が等しいことを特徴とする表示装置用ドライバ。
【請求項３】
請求項１に記載の表示装置用ドライバにおいて、
前記第１の基準電流トランジスタ及び前記第２の基準電流トランジスタのゲート電極と互いに電気的に接続されたゲート電極を有し、ドレインとゲート電極が互いに電気的に接続された第１導電型の第１のトランジスタをさらに備え、
前記第１の基準電流トランジスタと前記第２の基準電流トランジスタはいずれも、前記第１のトランジスタとカレントミラー回路を構成していることを特徴とする表示装置用ドライバ。
【請求項４】
請求項１に記載の表示装置用ドライバにおいて、
前記第１の基準電流トランジスタと前記第２の基準電流トランジスタは、互いに近傍に配置されていることを特徴とする表示装置用ドライバ。
【請求項５】
請求項１に記載の表示装置用ドライバにおいて、
前記第１の基準電流トランジスタと前記第１の電流入力トランジスタとを接続する配線と、前記第２の基準電流トランジスタと前記第２の電流入力トランジスタとを接続する配線の長さと幅が等しいことを特徴とする表示装置用ドライバ。
【請求項６】
請求項３に記載の表示装置用ドライバにおいて、
前記第１のトランジスタは、前記第１の基準電流トランジスタ及び前記第２の基準電流トランジスタの近傍に配置されていることを特徴とする表示装置用ドライバ。
【請求項７】
請求項１に記載の表示装置用ドライバにおいて、
第３のノードに流れる基準電流を駆動するための第１導電型の第３の基準電流トランジスタと、
前記第３のノードが電気的に接続されたドレインを有し、ゲート電極とドレインが互いに電気的に接続され、ゲート電極は前記第１の電流入力トランジスタ及び前記第２の電流入力トランジスタのゲート電極と互いに電気的に接続されている第２導電型の第３の電流入力トランジスタとをさらに備え、
前記第３の電流入力トランジスタは、前記複数のカレントミラートランジスタを各々が複数のカレントミラートランジスタを含む第１のトランジスタ群及び第２のトランジスタ群に分離するよう、前記複数のカレントミラートランジスタの間に配置されることを特徴とする表示装置用ドライバ。
【請求項８】
請求項１に記載の表示装置用ドライバにおいて、
前記複数のカレントミラートランジスタのうち、前記第１の電流入力トランジスタに隣接するカレントミラートランジスタのゲート電極と前記第１の電流入力トランジスタのゲート電極との間、前記複数のカレントミラートランジスタのうち、互いに隣接する２つのカレントミラートランジスタのゲート電極間、及び前記複数のカレントミラートランジスタのうち、前記第２の電流入力トランジスタに隣接するカレントミラートランジスタのゲート電極と前記第２の電流入力トランジスタのゲート電極との間に、それぞれ抵抗素子を設けたことを特徴とする表示装置用ドライバ。
【請求項９】
請求項１または８に記載の表示装置用ドライバにおいて、
前記第１の基準電流トランジスタ及び第２の基準電流トランジスタのゲート電極と電気的に接続されたゲート電極を有し、前記第１の基準電流トランジスタ及び第２の基準電流トランジスタとＷ／Ｌのサイズ比が等しい第１導電型の第３の基準電流トランジスタと、
前記第３の基準電流トランジスタのドレインに電気的に接続された電流伝達用端子をさらに備えたことを特徴とする表示装置用ドライバ。
【請求項１０】
請求項１または８に記載の表示装置用ドライバにおいて、
前記第１の基準電流トランジスタ及び前記第２の基準電流トランジスタのゲート電極と互いに電気的に接続されたゲート電極を有し、ドレインとゲート電極が互いに電気的に接続された第１導電型の第１のトランジスタと、
基準電流を伝達するための第１の電流入出力用端子と、
前記第１の電流入出力用端子に電気的に接続されたドレインを有し、ドレインとゲート電極が互いに電気的に接続された第２導電型の第２のトランジスタと、
前記第１のトランジスタに電気的に接続されたドレインを有し、前記第２のトランジスタとカレントミラー回路を構成する第２導電型の第３のトランジスタをさらに備えたことを特徴とする表示装置用ドライバ。
【手続補正２】
【補正対象書類名】明細書
【補正対象項目名】００１８
【補正方法】変更
【補正の内容】
【００１８】
本発明の表示装置用ドライバは、第１のノードに流れる基準電流を駆動するための第１導電型の第１の基準電流トランジスタと、第２のノードに流れる基準電流を駆動するための第１導電型の第２の基準電流トランジスタと、前記第１のノードに電気的に接続されたドレインを有し、ゲート電極とドレインが互いに電気的に接続されている第２導電型の第１の電流入力トランジスタと、前記第２のノードが電気的に接続されたドレインを有し、ゲート電極とドレインが互いに電気的に接続され、ゲート電極は前記第１の電流入力トランジスタのゲート電極と互いに電気的に接続されている第２導電型の第２の電流入力トランジスタと、前記第１の電流入力トランジスタと前記第２の電流入力トランジスタとに挟まれた領域に各々が配置され、各々のゲート電極が前記第１の電流入力トランジスタ及び前記第２の電流入力トランジスタのゲート電極と電気的に接続されている複数のカレントミラートランジスタと、前記複数のカレントミラートランジスタを流れる電流に応じて、表示素子を駆動する駆動回路とを備えたことを特徴とする。
【手続補正３】
【補正対象書類名】明細書
【補正対象項目名】００２１
【補正方法】変更
【補正の内容】
【００２１】
前記第１の基準電流トランジスタ及び前記第２の基準電流トランジスタのゲート電極と互いに電気的に接続されたゲート電極を有し、ドレインとゲート電極が互いに電気的に接続された第１導電型の第１のトランジスタをさらに備え、前記第１の基準電流トランジスタと前記第２の基準電流トランジスタとは互いにＷ／Ｌ比が等しく、且つ前記第１のトランジスタとカレントミラー回路を構成することにより、カレントミラー回路を利用して互いに等しい電流を供給する第１及び第２の基準電流トランジスタを簡単な構成で実現することができる。
【手続補正４】
【補正対象書類名】明細書
【補正対象項目名】００２２
【補正方法】変更
【補正の内容】
【００２２】
前記第１の基準電流トランジスタと前記第２の基準電流トランジスタとは、互いの距離が１００マイクロメートル以下になるよう近傍に配置され、前記第１の基準電流トランジスタと前記第１の電流入力トランジスタとを接続する配線の長さ及び幅は、前記第２の基準電流トランジスタと前記第２の電流入力トランジスタとを接続する配線の長さ及び幅とほぼ同一であることにより、第１の電流入力トランジスタに流れる電流と第２の電流入力トランジスタとに流れる電流との誤差を最小限に抑えることができる。
【手続補正５】
【補正対象書類名】明細書
【補正対象項目名】００２３
【補正方法】変更
【補正の内容】
【００２３】
前記複数のカレントミラートランジスタのうち、前記第１の電流入力トランジスタに隣接するカレントミラートランジスタのゲート電極と前記第１の電流入力トランジスタのゲート電極との間、前記複数のカレントミラートランジスタのうち、互いに隣接するカレントミラートランジスタのゲート電極間、及び前記複数のカレントミラートランジスタのうち、前記第２の電流入力トランジスタに隣接するカレントミラートランジスタのゲート電極と前記第２の電流入力トランジスタのゲート電極との間に、それぞれ等しい抵抗値を有する抵抗素子を設けることにより、第１の電流入力トランジスタのゲート電極と第２の電流入力トランジスタのゲート電極との間で十分な電位勾配が形成できない場合でも、抵抗素子による電圧降下を利用して電位勾配を持たせることが可能となる。その結果、複数のカレントミラーに生じる電流のばらつきをさらに抑えることが可能となる。